(57)【特許請求の範囲】
【請求項１】
溝の上部開放側を塞ぐよう当該溝内に嵌め込まれる床面部材と、
前記床面部材を溝底から所望の高さ位置に支える複数の支柱部材とを備え、前記床面部材は、水平な床面部と当該床面部の両側縁から各々溝の側壁の一部に沿って延在する側溝当接面部とを備えたことを特徴とする溝内床面仮設装置。
【請求項２】
支柱部材は高さ調節自在に構成されたことを特徴とする請求項１に記載の溝内床面仮設装置。
【請求項３】
支柱部材は床面部材側に固定されたナット部と、当該ナット部にねじ込まれたボルト部とで構成されたことを特徴とする請求項１又は請求項２に記載の溝内床面仮設装置。
【請求項４】
ナット部は床面部から下方に延在する側溝当接部の内面側に設けられたことを特徴とする請求項３に記載の溝内床面仮設装置。
【請求項５】
ボルト部は床面部に穿たれたボルト挿通穴を介してナット部にねじ込まれたことを特徴とする請求項４に記載の溝内床面仮設装置。
【請求項６】
ボルト挿通穴は、ナット部にねじ込まれたボルト頭に着脱自在に嵌合するボルト回し具が挿脱自在なサイズであることを特徴とする請求項５に記載の溝内床面仮設装置。
【請求項７】
床面部は、当該床面部を幅方向に二分割された一対の片側床面部で構成されることを特徴とする請求項１乃至請求項６の何れかに記載の溝内床面仮設装置。
【請求項８】
床面部は、一対の片側床面部が複数の連結部材を介して分割間隔を調整自在に連結されたことを特徴とする請求項７の溝内床面仮設装置。
【請求項９】
連結部材は、一対の片側床面部の両裏面側に亘って宛がわれる当接部材と、分割間隔の拡大縮小方向に向けて延在するよう前記当接部材に設けられたスリットと、前記スリットを貫通するよう前記一対の片側床面部の各々裏面側に植設されたネジ棒部と、前記ネジ棒部に螺合されて当接部材を片側床面部の裏面側に圧接固定する締め付けナット部とを有することを特徴とする請求項８の溝内床面仮設装置。
【請求項１０】
当接部材に設けられるスリットは、一対の片側床面部の各裏面側毎に各々独立して設けられたことを特徴とする請求項９の溝内床面仮設装置。
【請求項１１】
一対の片側床面部の各裏面側に植設されるネジ棒部は複数並設されたことを特徴とする請求項９又は請求項１０に記載の溝内床面仮設装置。
【発明の詳細な説明】
【技術分野】
【０００１】
本発明は、道路の側溝等、溝の内部に、溝の底面から所望の高さ位置に仮の床面を設置する溝内床面仮設装置に関する。
【背景技術】
【０００２】
従来、例えば、道路の側溝等において、当該側溝の改修工事を行う場合、溝の内部（以下、溝内という）に仮の床面を仮設して、溝の流水を止めたり、迂回流路を設定することなく、流水が在るままでの工事を可能とするためには、流水面の上方に仮床面を仮設する必要が在った。
【発明の開示】
【発明が解決しようとする課題】
【０００３】
殊に近時においては、路面との段差を無くす所謂バリヤーフリーの観点から、既設の溝の上層部をカッター装置で切断し、溝の両側壁の高さを低くしてから、改めて側溝蓋を被せるという工事が急増しており、この場合、仮設床面上にカッター装置を走行させながら側壁を切断するため、この際、溝の上層部例えば両側壁の上部を側壁の上端縁から一定の寸法で切断してゆかねばならず、そのためには、床面が、側壁の上端縁のラインと平行であることが必要となる。
【０００４】
その外、現場の状況に応じて、所望の水平ラインに沿ってカッター装置を走行させねばならないために、何れにしても、カッター装置による切断作業の前工程としての床面仮設作業における床面高さや水平維持の調節等が極めて煩雑で、この種工事の大きな課題となっていた。
【０００５】
本発明は、上記課題を解消し、溝内の床面仮設作業を容易且つ迅速に効率よく行える溝内床面仮設装置の提供を目的とする。
【課題を解決するための手段】
【０００６】
請求項１の溝内床面仮設装置の発明は、溝の上部開放側を塞ぐよう当該溝内に嵌め込まれる床面部材と、前記床面部材を溝底から所望の高さ位置に支える複数の支柱部材とを備え、前記床面部材は、水平な床面部と当該床面部の両側縁から各々溝の側壁の一部に沿って延在する側溝当接面部とを備えたことを特徴とする。
【０００７】
請求項２の発明は、請求項１に記載の溝内床面仮設装置において、支柱部材は高さ調節自在に構成されたことを特徴とする。
【０００８】
請求項３の発明は、請求項１又は請求項２に記載の溝内床面仮設装置において、支柱部材は床面部材側に固定されたナット部と、当該ナット部にねじ込まれたボルト部とで構成されたことを特徴とする。
【０００９】
請求項４の発明は、請求項３に記載の溝内床面仮設装置において、ナット部は床面部から下方に延在する側溝当接部の内面側に設けられたことを特徴とする。
【００１０】
請求項５の発明は、請求項４に記載の溝内床面仮設装置において、ボルト部は床面部に穿たれたボルト挿通穴を介してナット部にねじ込まれたことを特徴とする。
【００１１】
請求項６の発明は、請求項５に記載の溝内床面仮設装置において、ボルト挿通穴は、ナット部にねじ込まれたボルト頭に着脱自在に嵌合するボルト回し具が挿脱自在なサイズであることを特徴とする。
【００１２】
請求項７の発明は、請求項１乃至請求項６の何れかに記載の溝内床面仮設装置において、床面部は、当該床面部を幅方向に二分割された一対の片側床面部で構成されることを特徴とする。
【００１３】
請求項８の発明は、請求項７の溝内床面仮設装置において、床面部は、一対の片側床面部が複数の連結部材を介して分割間隔を調整自在に連結されたことを特徴とする。
【００１４】
請求項９の発明は、請求項８の溝内床面仮設装置において、連結部材は、一対の片側床面部の両裏面側に亘って宛がわれる当接部材と、分割間隔の拡大縮小方向に向けて延在するよう前記当接部材に設けられたスリットと、前記スリットを貫通するよう前記一対の片側床面部の各々裏面側に植設されたネジ棒部と、前記ネジ棒部に螺合されて当接部材を片側床面部の裏面側に圧接固定する締め付けナット部とを有することを特徴とする。
【００１５】
請求項１０の発明は、請求項９の溝内床面仮設装置において、当接部材に設けられるスリットは、一対の片側床面部の各裏面側毎に各々独立して設けられたことを特徴とする。
【００１６】
請求項１１の発明は、請求項１９又は請求項１０に記載の溝内床面仮設装置において、一対の片側床面部の各裏面側に植設されるネジ棒部は複数並設されたことを特徴とする。
【発明の効果】
【００１７】
請求項１乃至請求項１１に記載の各発明によれば、何れも、溝内の床面仮設作業を容易且つ迅速に効率よく行え、溝の流水を遮断したり迂回させたりすることなく、流水させたままで、溝内床面仮設装置を提供することができる。
【００１８】
請求項２乃至請求項３の各発明によれば、何れも、流水の深さに応じて適宜仮設床面高さを任意に設定することができる。
【００１９】
請求項１乃至請求項４の発明によれば、側溝当接面部により仮設床面を従来に較べてより安定且つ強固に設定することができ、床面の水平維持を効果的に行わせることができる。
【００２０】
請求項４や請求項５の各発明によれば、何れも、支柱部材を単純且つ容易に構成することができる。
【００２１】
請求項６の発明によれば、仮設床面の高さや水平維持調整を容易且つ迅速に行うことができる。
【００２２】
請求項７乃至請求項１１に記載の各発明によれば、何れも、溝の幅に応じて適宜に仮設床面を設定することができる。
【００２３】
請求項９の発明によれば、溝の幅に応じて現場にて適宜に仮設床面の幅を溝幅に応じて自在に調整して、所望の仮設床面を設定することができる。
【００２４】
請求項１０乃至請求項１１に記載の各発明によれば、何れも、溝の幅に応じて拡開された分割間隔を容易且つ確実に維持させることができ、安定的な仮設床面を設定することができる。
【発明を実施するための最良の形態】
【００２５】
本発明の最良の実施の形態を示す道路側溝用の溝内床面仮設装置を図面に基づいて以下説明する。
【実施例１】
【００２６】
実施例１の溝内床面仮設装置を示す図１は架設された状態を示す斜視説明図、図２は図1の横断面図である。
【００２７】
図1及び図２において、図中の符号１は溝（側溝）であり、１１は溝１の底面即ち溝底、１２，１２は溝１の側面即ち側壁、側面、１３は溝の上面即ち上部開放側である。
溝内床面仮設装置（以下、単に仮設装置ともいう）１０は、溝１の上部開放側１３を塞ぐよう、当該上部開放側１３から溝１内に落とし込むようにして嵌め込まれる床面部材１１１と、この床面部材１１１を溝底１１から所望の高さ位置に支えるように機能する複数の支柱部材１２１とを備えたものである。
【００２８】
尚、溝内床面仮設装置１０の長さは取り扱い可能な適宜の長さであればよい。図示の溝内床面仮設装置１０の長さは図示上の都合での長さである。又、仮設装置の材質は金属製や樹脂製の何れでもよく、その他の材質のものであっても良く、限定されない。
【００２９】
図示の支柱部材１２１は、床面部材１１１から下方に延在する側溝当接部１１３の内面側に固定された複数のナット部１２２と、これらの各ナット部１２２にねじ込まれるボルト部１３０とで構成されており、このボルト部１３０が溝底１１に立脚してナット部１２２を介して、仮設床面としての床面部材１１１の高さが調節自在に支持され、且つネジ込み量の調整により床面部材１１１の水平維持が図られている。
【００３０】
上記のようなボルトとナットで支持部材１２１を構成とすることにより、支柱部材１２１を単純且つ容易に構成することができると共に、水平維持作業等溝１内の床面仮設作業を容易且つ迅速に行うことできる。
又、溝１の流水を遮断したり迂回させたりすることなく、流水をそのままで、流水の深さに応じて床面部材（仮設床面）１１１の高さを従来に較べて容易且つ自在に設定することができる。
【００３１】
床面部材１１１は、水平な床面部１１２と、この床面部１１２の両側縁から各々溝１の両側壁１２，１２の一部に沿って延在する側溝当接面部１１３，１１３とを備えている。図示の両側溝当接面部１１３，１１３は床面部１１２から下方に垂れる方向に延在させている。
【００３２】
このような側溝当接面部１１３，１１３を設けることにより、床面部（仮設床面）１１２を従来に較べてより安定且つ強固に設定することができると共に、床面部（仮設床面）１１２の水平維持を効果的に行わせることができる。
【００３３】
ボルト部１３０は、床面部１１２に穿たれた各ボルト挿通穴１３１を介してナット部１２２に鉛直方向からねじ込まれており、このボルト挿通穴１３１は、ナット部１２２にねじ込まれたボルト部１３０のボルト頭１３２に着脱自在に嵌合するボルト回し具（図示せず）が挿脱自在なサイズ（径）とされている。
【００３４】
従って、この実施例１の溝内床面仮設装置１０は、溝１内に落とし込むようにして嵌め込み、溝１の上部開放側１３から鉛直方向に適宜なボルト回し具（図示せず）をボルト挿通穴１３１に差し込んで、床面部材１１１の下に在るボルト部１３０を自在に操作することができるので、床面部材１１１を溝底１１から所望の高さ位置に支える高さ維持や水平維持の調整作業を容易且つ迅速に行うことができる。
【実施例２】
【００３５】
実施例２の溝内床面仮設装置を示す図３は、架設された状態を示す斜視説明図、図４は図３の横断面図、図４は要部分解説明図である。
【００３６】
実施例２の溝内床面仮設装置２１０の床面部２１１は、その幅方向に二分割された一対の片側床面部２１１Ａ，２１１Ｂで構成されており、この床面部２１１は一対の片側床面部２１１Ａ，２１１Ｂが複数の連結部材２を介して、二分割された分割間隔Ｌを調整自在に連結されている。
【００３７】
図４及び図５において、図示の連結部材２は、一対の片側床面部２１１Ａ，２１１Ｂの両裏面側に亘って、分轄間隔Ｌ即ち縦割りラインと交差するように、宛がわれた当接部材２１と、前記分割間隔Ｌの拡大縮小方向即ち縦割りラインと交差する方向に向けて延在するよう当接部材２１に設けられたスリット２２と、このスリット２２を貫通して前記一対の片側床面部２１１Ａ，２１１Ｂの各々の裏面側に植設された複数のネジ棒部２３と、これらネジ棒部２３に螺合されて当接部材２１を片側床面部２１１Ａ，２１１Ｂの裏面側に圧接固定させる締め付けナット部２４とを有している。
【００３８】
更に図示の当接部材２１に設けられるスリット２２は、一対の片側床面部２１１Ａ，２１１Ｂの各裏面側毎に植設されたネジ棒部２３Ａ，２３Ｂに各々対応するよう独立して、図中の符号２２Ａ，２２Ｂで示すように形成されている。
この場合、両スリット２２Ａ，２２Ｂの長さを所定長さに形成することによって、分轄間隔Ｌの幅、即ち拡大縮小可能な分轄幅を予め規制しておくことができる。
【００３９】
各片側床面部２１１Ａ，２１１Ｂの裏面側に植設されるネジ棒部２３Ａ、２３Ｂは前記の縦割りラインと交差する方向に複数本、例えば図示のように少なくとも２本並設し、
スリット２２（２２Ａ，２２Ｂ）の幅をネジ棒部２３Ａ、２３Ｂの径にほぼ等しく形成しておくことにより、分轄された一対の片側床面部２１１Ａ，２１１Ｂの相対位置を適正に、例えば溝の延在方向において一対の片側床面部２１１Ａ，２１１Ｂにズレを生じさせないように、規制することができる。
【００４０】
実施例２の溝内床面仮設装置２１０におけるその他の構成は、実施例１の溝内床面仮設装置１１と同様であるので説明を省略する。
又、図３乃至図４において、図１乃至図２と同一の符号は実質的に同一内容の部材である。
【００４１】
実施例２の溝内床面仮設装置２１０によれば、溝１の幅に応じて適宜な分轄幅を調整できるので、溝の幅に適応した溝内床面仮設装置を設定することができる。
又、溝１の幅毎に応じて一義的（分轄幅調整不能）に構成される上記実施例１の溝内床面仮設装置１１に較べて、予め用意（製造）しておく溝内床面仮設装置２１０の種類が少なくて済み、経済的となる。
【産業上の利用可能性】
【００４２】
本発明は、道路の側溝限らず、その他の溝についても広くて利用することができる。
【図面の簡単な説明】
【００４３】
【図１】図１は架設された状態を示す斜視説明図である（実施例１）。
【図２】図1の横断面図である（実施例１）。
【図３】架設された状態を示す斜視説明図である（実施例２）。
【図４】図３の横断面図である（実施例２）
【図５】、図４は要部分解説明図である（実施例２）
【符号の説明】
【００４４】
１  溝
１１  溝底（溝の底面）
１２  側壁（溝の側面）
１３  上部開放側（溝の上面）
１０  溝内床面仮設装置（実施例１）
１１０  
１１１  床面部材（仮設床面）
１１２  床面部（仮設床面）
１１３  当接面部
１２１  支持部材
１２２  ナット部
１３０  ボルト部
１３１  ボルト挿通孔
１３２  ボルト頭
２１０  溝内床面仮設装置（実施例２）
２  連結部材
２１  当接部材
２２  スリット
２２Ａ、２２Ｂ  スリット
２３  ネジ棒部
２３Ａ，２３Ｂ  ネジ棒部
２４  ナット部
２１１  床面部
２１１  片側床面部
２１１Ａ  片側床面部
２１１Ｂ  片側床面部
【図１】
0004434257.tif 000002
【図２】
0004434257.tif 000003
【図３】
0004434257.tif 000004
【図４】
0004434257.tif 000005
【図５】
0004434257.tif 000006